(57)【要約】【課題】  流量センサの検出精度を向上させることができる選別装置を提供する。【解決手段】  揺動選別手段４１と、唐箕ファン５２による風選別手段５１とを有する選別室３５を備え、該選別室３５により穀粒等の被選別物を選別してなる選別装置３１において、前記風選別手段５１の風速に基づく負圧による風量を検出する流量センサ７１を、前記選別室３５の外部に配置し、前記流量センサ７１の吐出側にホース７２を連結して該ホース７２先端の吐出口７５を、前記唐箕ファン５２の送風口５３近傍に配置した。前記流量センサ７１の吐出口７５が、前記揺動選別手段４１からの被選別物の落下範囲から外れるので、前記吐出口７５に被選別物が引っ掛ることを防止して、安定した流量検出を行うことができる。【選択図】      図１
2006246783.tif 000002
【特許請求の範囲】
【請求項１】
揺動選別手段と、唐箕ファンによる風選別手段とを有する選別室を備え、該選別室により穀粒等の被選別物を選別してなる選別装置において、
前記風選別手段の風速に基づく負圧による風量を検出する流量センサを、前記選別室の外部に配置し、
前記流量センサの吐出側にホースを連結して該ホース先端の吐出口を、前記唐箕ファンの送風口近傍に配置した、
ことを特徴とする選別装置。
【請求項２】
前記吐出口を、前記揺動選別手段を支持する揺動側板と、前記選別室を構成する側板との間に配置してなる、
請求項１記載の選別装置。
【請求項３】
前記唐箕ファンの送風口は、整流板により上下に分けられ、
前記吐出口を、前記整流板下方の送風口近傍に配置してなる、
請求項１又は２記載の選別装置。
【発明の詳細な説明】
【技術分野】
【０００１】
本発明は、脱穀された被選別物から穀粒を選別する選別装置に関する。
【背景技術】
【０００２】
一般に、コンバイン等に設けられる選別装置は、扱ぎ室で脱穀された穀粒等の被選別物を揺動選別体で篩選別する揺動選別手段と、揺動選別体から漏下した被選別物を送風ファンからの風で風選別する風選別手段とを備えている。この種の選別装置においては、その選別処理能力が一定であると、扱ぎ室から選別装置へ落下する被選別物の増減に伴って選別精度にバラツキが生じたり、オーバーフローが発生する可能性があるため、選別処理状況をセンサで検出すると共に、該センサの検出信号に応じて選別処理能力を自動制御することが提案されている。
【０００３】
センサの検出信号に応じて選別能力を自動制御するものとして、例えば、脱穀された被選別物を篩選別する揺動選別体を、該揺動選別体のチャフシーブから漏下した被選別物を風選別する唐箕ファンと、被選別物に含まれる夾雑物を排出する排塵ファンと、被選別物が落下する四番口の近傍に、該四番口から流入する風量を検出する流量センサを設け、該流量センサの検出信号に応じて、前記チャフシーブのフィンの開度を自動的に制御するものが知られている（例えば、特許文献１参照）
【０００４】
【特許文献１】特開２００１−２５１９５３号公報（第２−３頁  図４）
【発明の開示】
【発明が解決しようとする課題】
【０００５】
前記従来技術では、揺動選別体上の被選別物の量により排塵ファンに吸引される風の流れの変化（例えば、揺動選別体上の被処理物の量が多いときには、４番口から吸引される風量が増加し、揺動選別体上の被処理物の量が少ない時には、唐箕ファンからの風量が増加する）を、四番口に近傍に配置した流量センサで検出している。このため、四番口から落下する被処理物が流量センサに引っ掛り、流量センサの検出精度を低下させることがあった。
【０００６】
前記の事情に鑑み、本発明は、流量センサの検出精度を向上させることができる選別装置を提供することを目的とする。
【課題を解決するための手段】
【０００７】
前記目的を達成するため、請求項１に係る本発明は、揺動選別手段（４１）と、唐箕ファン（５２）による風選別手段（５１）とを有する選別室（３５）を備え、該選別室（３５）により穀粒等の被選別物を選別してなる選別装置（３１）において、
前記風選別手段（５１）の風速に基づく負圧による風量を検出する流量センサ（７１）を、前記選別室（３５）の外部に配置し、
前記流量センサ（７１）の吐出側にホース（７２）を連結して該ホース（７２）先端の吐出口（７５）を、前記唐箕ファン（５２）の送風口（５３）近傍に配置した、
ことを特徴とする選別装置にある。
【０００８】
請求項２に係る本発明は、前記吐出口（７５）を、前記揺動選別手段（４１）を支持する揺動側板（４２）と、前記選別室（３５）を構成する側板（３３）との間に配置してなる、
請求項１記載の選別装置にある。
【０００９】
請求項３に係る本発明は、前記唐箕ファン（５２）の送風口（５３）は、整流板（５５）により上下に分けられ、
前記吐出口（７５）を、前記整流板（５５）下方の送風口（５３）近傍に配置してなる、
請求項１又は２記載の選別装置にある。
【００１０】
なお、前記した括弧内の符号等は、図面を参照するためのものであって、本発明を何ら限定するものではない。
【発明の効果】
【００１１】
請求項１に係る本発明によると、流量センサに接続するホース内の風は、選別手段の風速に基づく負圧により流れるので、選別室外部から選別室内部へ向けて流れ、選別室内の被選別物がホース内に吸込まれて詰まることを防止でき、かつ流量センサの吐出口を唐箕ファンの送風口近傍に配置したので、揺動選別手段の風向上流側における選別風の乱れの少ない状態での風速に基づき検出でき、流量センサの検出精度を向上することができる。
【００１２】
請求項２に係る本発明によると、流量センサの吐出口が、揺動選別手段からの被選別物落下範囲から外れるので、上記吐出口に被選別物が引っ掛ることを防止して、安定した流量検出を行うことができる。
【００１３】
請求項３に係る本発明によると、整流板により分流された下方の送風口は、唐箕ファンからの選別風の主流となって、風量が多く安定しており、該主流となる送風口の風量を吐出口で検出するので、流量センサの応答性を向上することができる。
【発明を実施するための最良の形態】
【００１４】
以下、図面に基づき本発明の実施の形態を説明する。
【００１５】
図１乃至図３は本発明の実施の形態を示すもので、図１は、本発明による選別装置を備えた脱穀機の側面図、図２は、図１の正面図、図３は、本発明による流量センサの配置状態を示す展開図である。
【００１６】
図１、図２に示すように、脱穀機１は、脱穀装置１１と、該脱穀装置１１の下に配置される選別装置３１とにより構成される。前記脱穀装置１１は、穀稈を挟持搬送するフィードチェーン１２の搬送経路に沿って配置された第１扱ぎ室１３と第２扱ぎ室１５内に、それぞれ第１扱胴１６と第２扱胴１７が配置されている。
【００１７】
前記第１扱ぎ室１３の下部には、前記第１扱胴１６により穀稈から扱ぎ落とされた被処理物を漏下させる受網１８が配置され、前記第２扱ぎ室１５の四番口２０の下方には、前記第２扱胴１７によって穀稈から扱ぎ落とされた被処理物を漏下させる受網２１が配置されている。
【００１８】
なお、前記フィードチェーン１２の搬送端には、排藁チェーン２２が配置され、脱穀後の排藁を排藁処理装置２３へ搬送する。前記排藁処理装置２３は、排藁を適宜長さに切断して排出口２５から排出する。
【００１９】
前記選別装置３１は、ベース３２と、該ベース３２に立設された側板３３と、該側板３３に支持された前記脱穀装置１１で囲まれた選別室３５を備え、該選別室３５内に揺動選別手段４１と風選別手段５１が配置されている。
【００２０】
前記揺動選別手段４１は、所定の周期で往復揺動する一対の揺動側板４２と、該揺動側板４２の間に前記受網１８の下方に位置するように、揺動側板４２の上流側に固定された揺動流板４３と、該揺動側板４２の間に前記受網１８の後端部から前記受網２１の下方に位置するよう揺動側板の中流域から下流側にかけて支持され、複数のフィン４５が揺動自在に配置したチャフシーブ４６と、該揺動側板４２の下流側に支持されたストロラック４７と、前記チャフシーブ４６を漏下した被選別物から穀粒を漏下させる選別網４８とを備えている。
【００２１】
前記風選別手段５１は、前記揺動流板４３の下方に配置された唐箕ファン５２で構成され、その送風口５３には整流板５５が配置されている。前記唐箕ファン５２から吹き出される選別風は、前記選別網４８及びチャフシーブ４６のフィン４５の間を通過して、被選別物に含まれる夾雑物を排除する。
【００２２】
前記選別室３５には、前記唐箕ファン５２の他に、選別された穀流を搬送する一番ラセン６１と、前記ストロラック４７上に落下した被選別物の夾雑物を排除する二番選別ファン６２と、該ストロラック４７を漏下した被選別物を前記揺動流板４３上に還流させる二番ラセン６３とが配置されている。また、前記選別室３５の後端には、排塵口６５が形成され、排塵ファン６６が配置されている。
【００２３】
図３に示すように、流量センサ７１は、周囲温度を検出する周囲温度センサと、ベルヌーイ効果で発生する負圧により吸引される空気の吸込口７１aから吐出口７１bに至る検出風路中に、吸込口から吸い込まれた空気の温度を検出する風上側温度センサと、吸込口７１ａから吸込まれた空気が周囲温度より所定温度だけ高くなるように加熱するヒータと、該ヒータの下流側に配置された風下側温度センサとが組込まれた検出チップ７１ｃを内蔵し、前記風上側温度センサと風下側温度センサで検出した温度差に基づいて風量の検出を行うものである。
【００２４】
図１、図２に示すように、前記流量センサ７１は、前記選別室３５を構成する側板３３の外側に配置され、その吐出口７１bにホース７２を介して接続されたノズル７３は、前記側板３３を貫通し前記選別室３５内に、その開口部が前記唐箕ファン５２の送風口５３に配置された整流板５５の下方の近傍に位置し、かつ前記側板３３と前記揺動側板４２の中間部に位置するように突出し、前記流量センサ７１の吐出口７５を構成している。
【００２５】
前記の構成で、前記脱穀装置１１と前記選別装置３１を作動させ、前記フィードチェーン１２で搬送される穀稈を供給すると、前記第１扱胴１６で脱穀され前記受網１８を漏下した被選別物は、前記揺動流板４３上に落下し、該揺動流板４３上で略均等な厚さの層状に均された状態で前記チャフシーブ４６のフィン４５上に送り込まれる。すると、前記唐箕ファン５２から送風され前記選別網４８を通り前記チャフシーブ４６のフィン４５の間を通る選別風により、被選別物内の夾雑物が吹き飛ばされて、該フィン４５の間から穀粒が前記選別網４８上に落下する。この時も、前記唐箕ファン５２からの選別風により被選別物中の夾雑物が吹き飛ばされて穀粒が前記一番ラセン６１に集められる。
【００２６】
前記２番扱胴１７で扱ぎ落とされた被選別物は、前記四番口２０から前記受網２１上に落下し、前記受け網２１を漏下した被選別物は、前記チャフシーブ４６の下流側に落下する。前記チャフシーブ４６で選別し切れなかった被選別物は、該チャフシーブ４６の後端から前記ストロラック４７上に落下して、前記二番選別ファン６２からの選別風により被選別物中の夾雑物が吹き飛ばされ、残りの被選別物が前記２番ラセン６３に集められ、該二番ラセン６３により前記揺動流板４３もしくはチャフシーブ４６上に還流される。
【００２７】
前記唐箕ファン５２及び二番選別ファン６２からの選別風により吹き飛ばされた夾雑物は、前記排塵ファン６６に吸引され、前記排塵口６５から排出される。
【００２８】
前記唐箕ファン５２からの送風は、前記揺動選別手段４１のチャフシーブ４６上で流動する被選別物の層の厚さでその流速が変化する。例えば、前記チャフシーブ４６上の被選別物の量が多くなれば風量が減少し、該チャフシーブ４６上の被選別物の量が少なくなれば風量が増加する。
【００２９】
従って、前記唐箕ファン５２の送風口５３に配置された整流板５５の下方、即ち選別風の主流となる送風口の近傍に前記流量センサ７１の吐出口７５を配置することにより、該唐箕ファン５２から送風される選別風によるベルヌーイ効果により、該流量センサ７１の吸込口７１aから吸込まれた空気が吐出口７５から空気が吸い出され、該流量センサ７１内を空気が流れるので、該唐箕ファン５２の送風量を検出することができる。
【００３０】
前記唐箕ファン５２からの送風量が一定となるように、前記チャフシーブ４６のフィン４５の間隔を調整することにより、安定した選別作業を行うことができる。
【００３１】
前述のように、前記流量センサ７１に接続された前記ホース７２内を流れる風は、前記風選別手段５１（唐箕ファン５２）の風速に基づく負圧により流れるので、前記選別室３５の外部から該選別室３５の内部へ向けて流れ、該選別室３５内の被選別物が該ホース７２内に吸込まれて詰まることを防止でき、かつ該流量センサ７１の吐出口７５を唐箕ファン５２の送風口近傍に配置したので、前記揺動選別手段４１の風向上流側における選別風の乱れの少ない状態での風速に基づき検出でき、該流量センサ７１の検出精度を向上することができる。
【００３２】
また、前記流量センサ７１の吐出口７５が、前記揺動選別手段４１からの被選別物の落下範囲から外れるので、前記吐出口７５に被選別物が引っ掛ることを防止して、安定した流量検出を行うことができる。また、前記整流板５５により分流された下方の送風口５３は、前記唐箕ファン５２からの選別風の主流となって、風量が多く安定しており、該主流となる該送風口５３の風量を、前記吐出口７５を介して検出するので、前記流量センサ７１の応答性を向上することができる。
【図面の簡単な説明】
【００３３】
【図１】本発明による選別装置を備えた脱穀機の側面図である。
【図２】図１の正面図である。
【図３】本発明による流量センサの配置状態を示す展開図である。
【符号の説明】
【００３４】
３１  選別装置
３３  側板
３５  選別室
４１  揺動選別手段
４２  揺動側板
５１  風選別手段
５２  唐箕ファン
５３  送風口
５５  整流板
７１  流量センサ
７２  ホース
７５  吐出口
【図１】
2006246783.tif 000003
【図２】
2006246783.tif 000004
【図３】
2006246783.tif 000005